(57)【特許請求の範囲】
【請求項１】
位置登録もしくは位置更新を端末が実行するときに、第１ネットワークへのアクセスが失敗したならば、ローカルに構成されるドメイン優先設定アイテムを取得し、
第１ネットワーク・ドメインが優先であることを前記ドメイン優先設定アイテムが示すならば、前記端末がネットワークを再選択し、
第２ネットワーク・ドメインが優先であることを前記ドメイン優先設定アイテムが示すならば、第２ネットワークの登録が成功したか否か、前記端末が判断し、該登録が不成功であれば、該端末がネットワークを再選択し、該登録が成功であれば、該端末はネットワークを再選択しない、
ことを含む、ワイヤレス端末のネットワーク選択方法。
【請求項２】
前記第１ネットワーク・ドメインは回線交換（ＣＳ）ドメインであり、前記第２ネットワーク・ドメインはパケット交換（ＰＳ）ドメインであるか、もしくは、
前記第１ネットワーク・ドメインはパケット交換（ＰＳ）ドメインであり、前記第２ネットワーク・ドメインは回線交換（ＣＳ）ドメインである、
請求項１に記載の方法。
【請求項３】
前記端末が前記位置登録を実行することは、
ネットワークへの回線交換（ＣＳ）ドメイン位置登録要求メッセージおよび／またはパケット交換（ＰＳ）ドメイン位置登録要求メッセージを前記端末が発すること、もしくは、
前記ネットワークへの回線交換（ＣＳ）ドメインおよびパケット交換（ＰＳ）ドメイン複合位置登録要求メッセージを前記端末が発すること、
を含み、
前記端末が前記位置更新を実行することは、
前記ネットワークへの回線交換（ＣＳ）ドメイン位置更新要求メッセージおよび／またはパケット交換（ＰＳ）ドメイン位置更新要求メッセージを前記端末が発すること、もしくは、
前記ネットワークへの回線交換（ＣＳ）ドメインおよびパケット交換（ＰＳ）ドメイン複合位置更新要求メッセージを前記端末が発すること、
を含む、
請求項２に記載の方法。
【請求項４】
前記端末がネットワークを再選択する前に、サービスが実行されているか否か、前記端末が判断し、
サービスが実行されているならば、該サービスが終了した後に、前記端末がネットワークを再選択する、
ことをさらに含む、
請求項１〜３のいずれか一項に記載の方法。
【請求項５】
前記サービスは、パケット交換（ＰＳ）ドメイン・サービスおよび／または回線交換（ＣＳ）ドメイン・サービスである、請求項４に記載の方法。
【請求項６】
端末が第１ネットワーク・ドメインへのアクセスに失敗した場合、ローカルに構成されるドメイン優先設定アイテムを取得する、第１ユニットと、
前記第１ネットワーク・ドメインが優先であることを前記第１ユニットによって取得された前記ドメイン優先設定アイテムが示す場合、ネットワークを再選択し、第２ネットワーク・ドメインが優先であることを前記第１ユニットによって取得された前記ドメイン優先設定アイテムが示す場合、第２ネットワークの登録が成功したか否か、さらに判断し、該登録が不成功であるならば、前記端末がネットワークを再選択し、該登録が成功であるならば、該端末がネットワークを再選択しない、第２ユニットと、
を備える端末デバイス。
【請求項７】
前記第２ユニットがネットワークを再選択する前に、サービスが実行されているか否かを判断し、該サービスが実行されているならば、該サービスの実行を監視し、該サービスが終了した後に、ネットワークを再選択するよう該第２ユニットに指示する、第３ユニット、
をさらに備える請求項６に記載の端末デバイス。
【請求項８】
位置登録もしくは位置更新を実行する第４ユニット、
をさらに備え、
該位置登録は、ネットワークへの回線交換（ＣＳ）ドメイン位置登録要求メッセージおよび／またはパケット交換（ＰＳ）ドメイン位置登録要求メッセージを発すること、もしくは、該ネットワークへの回線交換（ＣＳ）ドメインおよびパケット交換（ＰＳ）ドメイン複合位置登録要求メッセージを発すること、を含み、
該位置更新は、該ネットワークへの回線交換（ＣＳ）ドメイン位置更新要求メッセージおよび／またはパケット交換（ＰＳ）ドメイン位置更新メッセージを発すること、もしくは、該ネットワークへの回線交換（ＣＳ）ドメインおよびパケット交換（ＰＳ）ドメイン複合位置更新要求メッセージを発すること、を含み、 
前記第１ネットワーク・ドメインは回線交換（ＣＳ）ドメインであり、前記第２ネットワーク・ドメインはパケット交換（ＰＳ）ドメインであるか、または、
前記第１ネットワーク・ドメインはパケット交換（ＰＳ）ドメインであり、前記第２ネットワーク・ドメインは回線交換（ＣＳ）ドメインである、
請求項６に記載の端末デバイス。
【請求項９】
前記第１ネットワーク・ドメインは回線交換（ＣＳ）ドメインであり、前記第２ネットワーク・ドメインはパケット交換（ＰＳ）ドメインであるか、もしくは、
前記第１ネットワーク・ドメインはパケット交換（ＰＳ）ドメインであり、前記第２ネットワーク・ドメインは回線交換（ＣＳ）ドメインである、
請求項６又は７に記載の端末デバイス。
【発明の詳細な説明】
【技術分野】
【０００１】
本発明は通信技術分野に関し、詳細には、ネットワーク選択方法および端末装置に関する。
【背景技術】
【０００２】
起動時もしくは位置更新の間、モバイル端末はネットワーク・サーチを実行する必要がある。端末のネットワーク・サーチ能力は端末品質を評価する重要な指数とみなされるかもしれない。広帯域符号分割多元接続（ＷＣＤＭＡ）システムを例にとれば、端末のネットワーク・サーチ・プロセスは２つのサブ・プロセスに分離することができる。すなわち、公衆陸上移動網（ＰＬＭＮ）選択およびセル・サーチである。
【０００３】
公衆陸上移動網（ＰＬＭＮ）は移動体通信用国番号（ＭＣＣ、３個の数字）および移動網番号（ＭＮＣ、２個または３個の数字）を合わせることによって特定される。各々の国は少なくとも一つの公衆陸上移動通信網を有する。中国を例にとれば、中国移動体通信（China Mobile Communications Corporation）の移動体通信網用グローバル・システム（ＧＳＭ（登録商標））のネットワーク番号は「００」を使用することによって示され、中国聯合通信（China Unicom Corporation）の移動体通信網用グローバル・システム（ＧＳＭ（登録商標））のネットワーク番号は「０１」を用いることによって示される。公衆陸上移動網（ＰＬＭＮ）は複数のセルによって形成され、セルは移動体通信網の最小カバレッジ単位（minimum coverage unit）である。
【０００４】
移動体通信網用グローバル・システム（ＧＳＭ（登録商標））および広帯域符号分割多元接続（ＷＣＤＭＡ）システムは双方とも回線交換（ＣＳ）ドメインおよびパケット交換（ＰＳ）ドメインに分割される。現在、端末の多くは回線交換（ＣＳ）およびパケット交換（ＰＳ）を同時にサポートしている。すなわち、端末の多くは、音声サービスおよび汎用パケット無線サービス（ＧＰＲＳ）・データ・サービスを同時にサポートしている。端末が起動されると、もしくは、端末がオフラインにされると、端末はネットワーク・サーチを実行し、まず、公衆陸上移動網（ＰＬＭＮ）を選択し、次に、該公衆陸上移動網（ＰＬＭＮ）に属するセルをサーチする。条件に合致するセルを発見すると、端末はシステム・ブロードキャスト・メッセージから隣接する複数のセルの情報を取得し、該情報にしたがって、該複数のセルの中で最もよい信号を有する一つのセルを端末は選択し、該一つのセルに留まり、位置登録を実行する。位置登録プロセスは回線交換（ＣＳ）ドメインおよびパケット交換（ＰＳ）ドメインの双方で開始される。現在、移動体通信網用グローバル・システム（ＧＳＭ（登録商標））および広帯域符号分割多元接続（ＷＣＤＭＡ）システムの双方は、端末登録の回線交換（ＣＳ）ドメインおよびパケット交換（ＰＳ）ドメインが同一のネットワークに属さなければならないことを要求している。
【０００５】
端末が位置登録もしくは位置更新を実行する場合、位置登録要求もしくは位置更新要求が開始され、回線交換（ＣＳ）ドメインが端末のアクセスを拒否すると、端末はネットワークの再選択を実行する。回線交換（ＣＳ）ドメインにおける位置登録もしくは位置更新がすでに成功しており、一方で、パケット交換（ＰＳ）ドメインがアクセスを拒否すると、端末は公衆陸上移動網（ＰＬＭＮ）の再選択を実行せず、該ネットワークに留まる。
【０００６】
従来技術は以下の欠点を有している：端末の既存のネットワーク選択方法の基本的な原理は、回線交換（ＣＳ）およびパケット交換（ＰＳ）を同時にサポートする端末について、回線交換（ＣＳ）ドメインにおける位置登録もしくは位置更新がネットワークによって拒否された場合、端末はネットワークを再選択し、パケット交換（ＰＳ）ドメインにおける位置登録もしくは位置更新がネットワークによって拒絶された場合、端末はネットワークを再選択しない。したがって、ユーザはパケット交換（ＰＳ）サービスを実施することができない。パケット交換（ＰＳ）サービスは近年ますます改良されているが、これにより、ユーザ・エクスペリエンスは多大な悪影響を受ける。たとえば、データ・カード・ユーザについて、データ・カードは回線交換（ＣＳ）およびパケット交換（ＰＳ）を同時にサポートするが、ユーザは音声回線交換（ＣＳ）サービスをほとんど利用しない。したがって、一般に、データ・カード・ユーザは、パケット交換（ＰＳ）データ・サービスがより確実に保証されることを期待する。
【先行技術文献】
【特許文献】
【０００７】
【特許文献１】中国特許出願公開第１０１６９９９０２号
【特許文献２】欧州特許出願公開第１９６２５４０号
【発明の概要】
【発明が解決しようとする課題】
【０００８】
本発明の実施形態は、ユーザが優先的に使用するネットワーク・ドメインの接続信頼性を確保することができる、ネットワーク選択方法および端末デバイスを提供する。
【課題を解決するための手段】
【０００９】
本発明の実施形態は、ワイヤレス端末のネットワーク選択方法を提供する。該方法は、端末が位置登録もしくは位置更新を実行する場合、第１のネットワーク・ドメインへのアクセスに失敗したならば、ローカルに構成されたドメイン優先設定アイテムを取得し、該第１ネットワーク・ドメインが優先であることを該ドメイン優先設定アイテムが示すならば、該端末はネットワークを再選択し、第２ネットワーク・ドメインが優先であることを該ドメイン優先設定アイテムが示すならば、第２ネットワークの登録が成功したか否か該端末は判断し、登録が不成功であるならば、該端末はネットワークを再選択し、登録が成功であるならば、該端末はネットワークを再選択しない。
【００１０】
本発明の実施形態は、端末デバイスを提供する。該端末デバイスは、端末が第１ネットワーク・ドメインへのアクセスに失敗した場合、ローカルに構成されたドメイン優先設定アイテムを取得する第１ユニットと、第１ネットワーク・ドメインが優先であることを該第１ユニットによって取得されたドメイン優先設定アイテムが示す場合、ネットワークを再選択し、さらに、第２ネットワーク・ドメインが優先であることを該第１ユニットによって取得されたドメイン優先設定アイテムが示す場合、第２ネットワークの登録が成功したか否か判断し、登録が不成功であるならば、該端末はネットワークを再選択し、登録が成功であるならば、該端末はネットワークを再選択しない、第２ユニットと、を備える。
【００１１】
本発明の実施形態において、端末が位置登録もしくは位置更新を実行する場合、第１ネットワーク・ドメインへのアクセスが失敗したならば、ローカルに構成されたドメイン優先設定アイテムが取得され、該第１ネットワーク・ドメインが優先であることを該ドメイン優先設定アイテムが示すならば、該端末はネットワークを再選択し、第２ネットワーク・ドメインが優先であることを該ドメイン優先設定アイテムが示すならば、該端末は、さらに、第２ネットワークの登録が成功したか否か判断し、登録が不成功ならば、該端末はネットワークを再選択し、登録が成功ならば、該端末はネットワークを再選択しない。端末にドメイン優先設定アイテムを加えることにより、ネットワークへのアクセスが失敗した場合に、ネットワークの再選択が必要であるか否か、該ドメイン優先設定アイテムにもとづいて端末は判断する。これによって、ユーザが優先的に使用するネットワーク・ドメインの接続信頼性を確保する。すなわち、製造者は、異なるタイプの端末に、ドメイン優先設定アイテムの構成によって異なるネットワーク選択手法を実装してもよい。これによれば、ユーザの需要により適合させることができる。
【図面の簡単な説明】
【００１２】
【図１】本発明の第１実施形態によるネットワーク選択方法のフロー・チャートである。
【図２】本発明の第２実施形態によるネットワーク選択方法のフロー・チャートである。
【図３】本発明の第３実施形態によるネットワーク選択方法のフロー・チャートである。
【図４】本発明の第４実施形態による端末デバイスの概要構造図である。
【発明を実施するための形態】
【００１３】
添付の図面は、本発明のさらなる理解のために提供される。これらは、単なる適用の一部であり、本願発明を限定することを意図していない。
【００１４】
本願発明の目的、技術的解決および有利性をより明確にするために、本発明は添付の図面および実施形態を参照して以下に詳細に記述される。本願発明の例示的な実施形態および例示的な実施形態の記述は本願発明を例示するために使用され、本願発明を限定することを意図しない。
【００１５】
「第１実施形態」
図１のフロー・チャートに示す無線端末のネットワーク選択方法は、以下を含む。
Ａ１：端末が位置登録もしくは位置更新を実行する場合、第１のネットワーク・ドメインへのアクセスが失敗すると、ローカルに構成されるドメイン優先設定アイテムを取得する。
【００１６】
本発明の実施形態において、第１のネットワークおよび第２のネットワークは順番を有さない。第１のネットワークおよび第２のネットワークは異なるネットワーク形態を区別するためにだけ使用される。一般に、第１のネットワーク・ドメインは回路交換（ＣＳ）ドメインであり、第２のネットワーク・ドメインはパケット交換（ＰＳ）ドメインであるが、代替的に、第１のネットワーク・ドメインがパケット交換（ＰＳ）ドメインであり、第２のネットワーク・ドメインが回線交換（ＣＳ）ドメインであってもよい。一般に、データ・カード・ユーザについては、パケット交換（ＰＳ）ドメインが優先されることが、ドメイン優先設定アイテムに設定されてもよく、一方、一般の携帯電話ユーザについては、回線交換（ＣＳ）ドメインが優先されることがドメイン優先設定アイテムに設定されてもよい。
【００１７】
詳細には、端末の位置登録プロセスは、位置登録要求を送信することを含み、位置登録要求を送信することは、端末がネットワークへの回線交換（ＣＳ）ドメイン位置登録要求メッセージおよび／またはパケット交換（ＰＳ）位置登録要求メッセージを発すること、もしくは、端末がネットワークへの回線交換（ＣＳ）ドメインおよびパケット交換（ＰＳ）ドメインの結合位置登録要求メッセージを発することであってよい。
【００１８】
端末の位置更新プロセスは、端末がネットワークへの回線交換（ＣＳ）位置更新要求メッセージおよび／またはパケット交換（ＰＳ）ドメイン位置更新要求メッセージを発すること、もしくは、端末がネットワークへの回線交換（ＣＳ）ドメインおよびパケット交換（ＰＳ）ドメインの結合位置更新要求メッセージを発することを含んでもよい。
【００１９】
例示的な端末のネットワーク登録プロセスは以下のとおりである。
（１）端末が起動された場合、もしくはオフラインとされた場合、端末はネットワーク・サーチを実行し、適切なセルを選択した後、位置登録プロセスを開始する。端末がネットワークへの回線交換（ＣＳ）位置登録要求メッセージおよび／またはパケット交換（ＰＳ）位置登録要求メッセージ、もしくは、回線交換（ＣＳ）／パケット交換（ＰＳ）の結合位置登録要求メッセージを発する。（パケット交換（ＰＳ）位置登録プロセスは、端末が起動されたときに開始されなくてもよく、その後、ユーザがデータ・サービス要求を有したときに開始されてもよい。その場合、端末は回線交換（ＣＳ）位置登録プロセスだけを開始する。）
（２）ネットワークによって返される回線交換（ＣＳ）位置登録応答メッセージまたは／およびパケット交換（ＰＳ）位置登録応答メッセージを、端末が受信する。ネットワークが回線交換（ＣＳ）位置登録要求を拒絶する場合、原因値は、「公衆陸上移動網（ＰＬＭＮ）不許可」、「当該位置領域におけるローミング不許可」、「位置領域不許可」、「ホーム・ロケーション・レジスタ（ＨＬＲ）にない国際移動電話加入者識別番号（ＩＭＳＩ）」を含むことができるが、原因値はこれに限定されない。ネットワークがパケット交換（ＰＳ）位置要求を拒絶する場合、原因値は「当該公衆陸上移動網（ＰＬＭＮ）における汎用パケット無線サービス（ＧＰＲＳ）不許可」を含むことができるが、原因値はこれに限定されない。
【００２０】
本発明の実施形態において、ドメイン優先設定アイテムが端末に予め設定されることは理解され得るだろう。このパラメータは、オペレータもしくは端末製造者によって設定されてもよいし、設定インタフェースを介して端末のユーザによって設定されてもよい。
【００２１】
Ａ２：ドメイン優先設定アイテムの判断；  ドメイン優先設定アイテムが第１のネットワーク・ドメインが優先であることを示す場合、処理はステップＡ３へ進む。一方、ドメイン優先設定アイテムが第２のネットワーク・ドメインが優先であることを示すならば、処理はステップＡ４へ進む。
【００２２】
Ａ３：端末はネットワークを再選択する。
【００２３】
Ａ４：第２のネットワークにおける登録が成功したか否か端末は判断する；登録が成功しなかった場合、端末はネットワークを再選択する。一方、登録が成功した場合、端末はネットワークを再選択しない。
【００２４】
本発明の実施形態において、端末がネットワークを再選択する前に、サービスが実行されているか否かを端末がさらに判断し、サービスが実行されている場合、該サービス終了後に、端末がネットワークを再選択する、ことを本発明の方法はさらに含むことができる、ことは理解され得るだろう。サービスとは、パケット交換（ＰＳ）ドメイン・サービスおよび／または回線交換（ＣＳ）ドメイン・サービスである。
【００２５】
本発明の第１実施形態において、端末が位置登録もしくは位置更新を実行する場合、第１ネットワーク・ドメインへのアクセスが失敗したならば、ローカルに構成されるドメイン優先設定アイテムが取得される。ドメイン優先設定アイテムが第一のネットワーク・ドメインが優先であることを示すならば、端末はネットワークを再選択する。第２ネットワーク・ドメインが優先であることをドメイン優先設定アイテムが示すならば、第２ネットワークにおける登録が成功したか否か端末は判断する。登録が不成功であるならば、端末はネットワークを再選択する。登録が成功であるならば、端末はネットワークを再選択しない。端末にドメイン優先設定アイテムを加えることによって、ネットワークへのアクセスが失敗した場合、該ドメイン優先設定アイテムによって、ネットワークを再選択する必要があるか否か端末は判断する。これにより、ユーザが優先的に使用するネットワーク・ドメインの接続信頼性を確保する。すなわち、製造者は、異なるタイプの端末についてドメイン優先設定アイテムの構成によって異なるネットワーク選択手法を実装してもよい。これによれば、ユーザの需要により適合させることができる。
【００２６】
「第２実施形態」
図２にフロー・チャートを示すワイヤレス端末のネットワーク選択方法は以下を含む。
Ｂ１：端末は、回線交換（ＣＳ）ドメイン位置登録要求もしくは回線交換（ＣＳ）ドメイン位置更新要求を開始する。
Ｂ２：端末は、ネットワークによって返され、原因値を搬送する回線交換（ＣＳ）ドメイン位置登録／更新拒絶メッセージを受信する。
Ｂ３：端末は、ドメイン優先設定アイテムを判断する。回線交換（ＣＳ）ドメインが優先であることをドメイン優先設定アイテムが示すならば、プロセスはステップＢ４へ進む。一方、パケット交換（ＰＳ）ドメインが優先であることをドメイン優先設定アイテムが示すならば、プロセスはステップＢ５へ進む。
Ｂ４：端末は、ネットワークを再選択し、プロセスは終了する。
Ｂ５：端末がパケット交換（ＰＳ）ドメインへのアクセスに成功したか否か判断する。端末がパケット交換（ＰＳ）ドメインへのアクセスに成功しなかったならば、プロセスはステップＢ６へ進む。一方、端末がパケット交換（ＰＳ）ドメインへのアクセスに成功したならば、プロセスはステップＢ７へ進む。
Ｂ６：端末は、ネットワークを再選択し、プロセスは終了する。
Ｂ７：端末は、ネットワークを再選択せず、プロセスは終了する。
【００２７】
本発明の第二の実施形態において、端末にドメイン優先設定アイテムを加えることにより、回線交換（ＣＳ）ドメインへのアクセスに失敗した場合、ドメイン優先設定アイテムの情報によって、ネットワークの再選択が必要であるか否か端末は判断する。これによって、ユーザが優先的に使用するネットワーク・ドメインの接続信頼性を確保する。すなわち、製造者は、異なるタイプの端末についてドメイン優先設定アイテムの構成によって異なるネットワーク選択手法を実装してもよい。これによれば、ユーザの需要により適合させることができる。
【００２８】
「第３実施形態」
図３にフロー・チャートを示すワイヤレス端末のネットワーク選択方法は以下を含む。
Ｃ１：端末はパケット交換（ＰＳ）登録要求もしくはパケット交換（ＰＳ）位置更新要求を開始する。
Ｃ２：ネットワークによって返され、原因値を搬送するパケット交換（ＰＳ）位置登録／更新拒絶メッセージを端末は受信する。
Ｃ３：端末はドメイン優先設定アイテムを判断する。パケット交換（ＰＳ）ドメインが優先であることをドメイン優先設定アイテムが示すならば、プロセスはステップＣ４へ進む。回線交換（ＣＳ）ドメインが優先であることをドメイン優先設定アイテムが示すならば、プロセスはステップＣ５へ進む。
Ｃ４：端末はネットワークを再選択し、プロセスは終了する。
Ｃ５：端末が回線交換（ＣＳ）ドメインへのアクセスに成功したか否か判断する。端末が回線交換（ＣＳ）ドメインへのアクセスに成功しなかったならば、プロセスはステップＣ６へ進む。端末が回線交換（ＣＳ）ドメインへのアクセスに成功したならばプロセスはステップＣ７へ進む。
Ｃ６：端末はネットワークを再選択し、プロセスは終了する。
【００２９】
端末のネットワーク再選択プロセスは公衆陸上移動網（ＰＬＭＮ）選択サブ・プロセスおよびセル選択サブ・プロセスを含む。たとえば、公衆陸上移動網（ＰＬＭＮ）の信号強度を検出し、端末によって記憶されている公衆陸上移動網（ＰＬＭＮ）優先リストによって、高い優先度を有する公衆陸上移動網（ＰＬＭＮ）および適切なセルを選択し、当該セルに留まる。特定のネットワーク選択手法はネットワーク・アーキテクチャが異なれば少し異なってもよく、従来技術における標準的な実装手法が参照されてもよいが、本発明はこれに限定されることを意図するものではない。
【００３０】
Ｃ７：端末はネットワークを再選択せず、プロセスは終了する。
【００３１】
本発明の第３実施形態において、端末にドメイン優先設定アイテムを加えることにより、パケット交換（ＰＳ）ドメインへのアクセスに失敗した場合、ドメイン優先設定アイテムの情報によって、ネットワークを再選択する必要があるか否か端末は判断する。これによって、ユーザが優先的に使用するネットワーク・ドメインの接続信頼性を確保する。すなわち、製造者は、異なるタイプの端末についてドメイン優先設定アイテムの構成によって異なるネットワーク選択手法を実装してもよい。これによれば、ユーザの需要により適合させることができる。
【００３２】
本発明において提供される端末デバイスは以下で詳細に記述される。明確に例示するために、本発明の実施形態に関連する部分だけを示す。端末デバイスは携帯電話、データ・カード、もしくは類似の端末であってよく、端末デバイスに含まれる機能的モジュール／ユニットはハードウェア・モジュール／ユニット、ソフトウェア・モジュール／ユニット、もしくはソフトウェア・ハードウェア複合モジュール／ユニットであってよい。
【００３３】
「第４実施形態」
図４に概要構造図を示す端末デバイスは、以下を含む。
端末が第１ネットワーク・ドメインへのアクセスに失敗したときに、ローカルに構成されるドメイン優先設定アイテムを取得するように構成されている第１ユニット４１０。
第１ネットワーク・ドメインが優先であることを第１ユニット４１０によって取得されるドメイン優先設定アイテムが示す場合、ネットワークを再選択し、さらに、第２ネットワーク・ドメインが優先であることを第１ユニット４１０によって取得されるドメイン優先設定アイテムが示す場合、第２ネットワークにおける登録が成功したか否か判断する第２ユニット４２０。登録が不成功であったならば、端末はネットワークを再選択し、登録が成功であったならば、端末はネットワークを再選択しない。
【００３４】
本発明の実施形態における端末デバイスがさらに以下を含むことは理解され得よう。
第２ユニット４２０がネットワークを再選択する前にサービスが実行されているか否かさらに判断し、サービスが実行されているならばサービスの実行を監視し、サービスが終了した後、ネットワークを再選択するよう第２ユニットに指示するように、構成されている第３ユニット４３０。
【００３５】
本発明の実施形態において端末デバイスがさらに以下を含むことは理解され得よう。
位置登録および位置更新を実行するように構成されている第４ユニット４４０。ここで、位置登録は、ネットワークへの回線交換（ＣＳ）ドメイン位置登録要求メッセージおよび／またはパケット交換（ＰＳ）ドメイン位置登録要求メッセージを開始すること、もしくは、ネットワークへの回線交換（ＣＳ）ドメインおよびパケット交換（ＰＳ）ドメイン複合位置登録要求メッセージ発することを含む。位置更新は、ネットワークへの回線交換（ＣＳ）ドメイン位置更新要求メッセージおよび／またはパケット交換（ＰＳ）ドメイン位置更新要求メッセージを開始すること、もしくは、ネットワークへの回線交換（ＣＳ）ドメインおよびパケット交換（ＰＳ）ドメイン複合位置更新要求メッセージを発することを含む。
【００３６】
本発明の実施形態において、第１ネットワーク・ドメインは回線交換（ＣＳ）ドメインであり、第２ネットワークはパケット交換（ＰＳ）ドメインであるが、代替的に、第１ネットワーク・ドメインがパケット交換（ＰＳ）ドメインであり、第２ネットワーク・ドメインが回線交換（ＣＳ）ドメインであってもよい。
【００３７】
本発明の第４実施形態において提供される端末デバイスにおいて、位置登録もしくは位置更新が実行される場合、第１ネットワークへのアクセスが失敗したならば、ローカルに構成されるドメイン優先設定アイテムが取得される。第１ネットワーク・ドメインが優先であることをドメイン優先設定アイテムが示すならば、端末はネットワークを再選択する。第２ネットワーク・ドメインが優先であることをドメイン優先設定アイテムが示すならば、第２ネットワークの登録が成功したか否か端末は判断する。登録が不成功ならば、端末はネットワークを再選択する。登録が成功したならば、端末はネットワークを再選択しない。端末にドメイン優先設定アイテムを加えることにより、ネットワークへのアクセスが失敗した場合、ドメイン優先設定アイテムによって、ネットワークを再選択することが必要か否か、端末は判断する。これによって、ユーザが優先的に使用するネットワーク・ドメインの接続信頼性を確保する。すなわち、製造者は、異なるタイプの端末について、ドメイン優先設定アイテムの構成によって異なるネットワーク選択手法を実装してもよい。これによれば、ユーザの需要により適合させることができる。
【００３８】
関連するハードウェアに指示するプログラムによって、本発明の実施形態における上記方法のステップのすべてまたは部分を実装することができることは、当業者に理解され得よう。プログラムは、コンピュータ可読記憶媒体に記憶されることができる。プログラムが実行される場合、本発明の上記方法のステップが実行される。上記記憶媒体は、リード・オンリー・メモリ（ＲＯＭ）、ランダム・アクセス・メモリ（ＲＡＭ）、磁気ディスク、もしくは光ディスクなどのプログラム・コードを記憶することができる任意の媒体であってよい。
【００３９】
本発明の第４実施形態による端末デバイスが行う方法については、本発明の実施形態の方法についての上記記述を参照されたい。詳細については、ここでは、繰り返し記述しない。
【００４０】
本発明の実施形態において提供されるネットワーク選択方法および端末デバイスは上記に詳細に記述されている。
【００４１】
本発明の実施形態による方法において、端末が位置登録もしくは位置更新を実行する場合、第１ネットワークへのアクセスに失敗したならば、ローカルに構成されるドメイン優先設定アイテムが取得される。第１ネットワークが優先であることをドメイン優先設定アイテムが示すならば、端末はネットワークを再選択する；第２ネットワークが優先であることドメイン優先設定アイテムが示すならば、第２ネットワークの登録が成功したか否か端末は判断する。登録が不成功ならば、端末はネットワークを再選択する。登録が成功したならば、端末はネットワークを再選択しない。端末にドメイン優先設定アイテムを加えることによって、ネットワークへのアクセスが失敗した場合、ドメイン優先設定アイテムによって、ネットワークの再選択が必要であるか否か端末は判断する。これによって、ユーザが優先的に使用するネットワーク・ドメインの接続信頼性を確保する。すなわち、製造者は、異なるタイプの端末について、ドメイン優先設定アイテムの構成によって異なるネットワーク選択手法を実装してもよい。これによれば、ユーザの需要により適合させることができる。
【００４２】
関連するハードウェアに指示するプログラムによって、本発明の実施形態における上記方法のステップのすべてまたは部分を実装することができることは、当業者に理解され得よう。プログラムはコンピュータ可読記憶媒体に記憶されることができ、該記憶媒体は、リード・オンリー・メモリ（ＲＯＭ）、ランダム・アクセス・メモリ（ＲＡＭ）、磁気ディスク、もしくは光ディスクを含むことができる。
【００４３】
本発明の目的、技術的解決、および有益な効果が、上記特定の実施形態を通してより詳細に記述されている。上記記述は本発明の特定の実施形態であるというだけであり、本発明を限定する意図がないことは理解され得よう。本発明の原理から逸脱することのない、任意の変更、同等の置き換え、もしくは改良は、本発明の保護の範囲内である。
【図１】
0005421462.tif 000002
【図２】
0005421462.tif 000003
【図３】
0005421462.tif 000004
【図４】
0005421462.tif 000005